(57)【特許請求の範囲】
【請求項１】
外刃および該外刃の内側に沿って摺動する内刃を有するシェービングヘッドと、
該シェービングヘッドが一端側に対向して設けられた一対の支持部間に回動軸を中心に、剃り方向と逆方向に回動可能に支持されると共に、モータが内蔵されたハウジングと、
前記内刃を駆動さすべく該モータの回転軸を内刃に連繋する接続部とを具備する電気かみそりにおいて、
前記シェービングヘッドを付勢部材の付勢力に抗して前記ハウジング方向に沈み込み可能にすべく、前記回動軸を前記付勢部材を介して前記支持部に移動可能に支持すると共に、前記ハウジングに一端が固定され、他端が前記シェービングヘッドに固定されて前記シェービングヘッドを中立位置に位置させる複数の引っ張りバネを設け、
前記接続部が、
前記回動軸の軸線方向に往復動可能に前記シェービングヘッドに支持され、前記内刃を前記外刃に向けて付勢して支持すると共に、前記回動軸の軸線方向に直交する方向に長孔となる係合孔が設けられた揺動プレートを備え、
前記モータの回転軸に、該回転軸と偏心した位置に偏心軸を有する偏心カムが嵌着され、前記シェービングヘッドの回動、沈み込みを許容して、前記揺動プレートが前記回動軸の軸線方向に往復動すべく前記偏心軸が前記係合孔に遊嵌されてなることを特徴とする電気かみそり。
【請求項２】
前記揺動プレートに係合孔を設けることにかえて、前記揺動プレートの下面に可動片が固定され、該可動片に前記回動軸の軸線と直交する方向に長孔となる係合孔が設けられていることを特徴とする請求項１記載の電気かみそり。
【請求項３】
前記回動軸が、前記シェービングヘッドの高さの下から１／４の位置に設けられていることを特徴とする請求項１または２記載の電気かみそり。
【発明の詳細な説明】
【０００１】
【産業上の利用分野】
本発明は、電気かみそりに関する。
【０００２】
【従来の技術】
従来電気かみそりとして、本体のハウジングに設けた一対の支持部間にシェービングヘッドを回動自在にしたものが知られている。このシェービングヘッドには、外刃と内刃とを有し、外刃の内側に沿って内刃が摺動する。このような電気かみそりとして、特開昭６２−２２７３９５号に示すものがある。この電気かみそりは、回動軸の軸線が外刃上にあり、外刃を上下に移動しないように設定し、皮膚に対して常に外刃の頂部を接触させるものである。
【０００３】
【発明が解決しようとする課題】
前記シェービングヘッドの回動軸の軸線上に位置する外刃は、回動軸に対して剃り面が上下に移動することがなく、シェービングヘッドの揺動により外刃を単に皮膚を撫でるような動作となり、皮膚の凹凸部分にフィットするように剃ることができなかった。すなわち、凹凸部分に沿って外刃を移動しようとすると、電気かみそりの本体を皮膚に沿って移動するとともに凹凸方向へ近づけたり、遠ざけたりする必要もある。また、シェービングヘッドが回動するため、皮膚に強く外刃を当てて移動すると、反移動方向にシェービングヘッドが靡くように回動したままとなり、皮膚の同じ位置で往復動させつつ延ばしてひげを深剃りをすることができない。
【０００４】
そこで、本発明は、皮膚に沿ってシェービングヘッドを回動させるとともにシェービングヘッドをハウジング方向に沈み込み可能とし、皮膚を延ばすようにしてひげを剃ることができる電気かみそりを提供することを目的とする。また、他の目的は、シェービングヘッドの外刃を皮膚に強く当てたりした際に、その衝撃を吸収することができる電気かみそりを提供することにある。
【０００５】
【課題を解決するための手段】
上記課題を解決するため、本発明は次の構成を備える。
すなわち、外刃および該外刃の内側に沿って摺動する内刃を有するシェービングヘッドと、該シェービングヘッドが一端側に対向して設けられた一対の支持部間に回動軸を中心に、剃り方向と逆方向に回動可能に支持されると共に、モータが内蔵されたハウジングと、前記内刃を駆動さすべく該モータの回転軸を内刃に連繋する接続部とを具備する電気かみそりにおいて、前記シェービングヘッドを付勢部材の付勢力に抗して前記ハウジング方向に沈み込み可能にすべく、前記回動軸を前記付勢部材を介して前記支持部に移動可能に支持すると共に、前記ハウジングに一端が固定され、他端が前記シェービングヘッドに固定されて前記シェービングヘッドを中立位置に位置させる複数の引っ張りバネを設け、前記接続部が、前記回動軸の軸線方向に往復動可能に前記シェービングヘッドに支持され、前記内刃を前記外刃に向けて付勢して支持すると共に、前記回動軸の軸線方向に直交する方向に長孔となる係合孔が設けられた揺動プレートを備え、前記モータの回転軸に、該回転軸と偏心した位置に偏心軸を有する偏心カムが嵌着され、前記シェービングヘッドの回動、沈み込みを許容して、前記揺動プレートが前記回動軸の軸線方向に往復動すべく前記偏心軸が前記係合孔に遊嵌されてなることを特徴とする。
【０００６】
また、前記揺動プレートに係合孔を設けることにかえて、前記揺動プレートの下面に可動片が固定され、該可動片に前記回動軸の軸線と直交する方向に長孔となる係合孔が設けられていることを特徴とする。
【０００７】
また、前記回動軸が、前記シェービングヘッドの高さの下から１／４の位置に設けられていることを特徴とする。
【０００８】
【作用】
次に、作用について説明する。
電気かみそりの外刃を皮膚に当てて、皮膚に沿って電気かみそり全体を移動するようにして、外刃を擦り上げてひげを剃る。そのとき、シェービングヘッドが剃り方向と逆方向に傾くとともに皮膚の凹凸に沿うように沈み込む。シェービングヘッドの軸支された回動軸の軸線と外刃との各位置との距離が異なり、シェービングヘッドの回動により皮膚に当たる強さが変わり、深剃りも可能となる。なお、皮膚に強く外刃が当たった際にシェービングヘッドがハウジング方向に沈み込み、衝撃を吸収することができる。一方、回動するシェービングヘッドはスプリングにより中立を保とうとするため、その反力により皮膚に外刃が強く食い込むこととなる。
【０００９】
【実施例】
以下、本発明の好適な実施例について添付図面に基づいて詳細に説明する。図１は本発明に係る電気かみそりの内部機構を示す部分断面正面図である。図２は同じく本発明に係る電気かみそりの内部機構を示す部分断面側面図である。
【００１０】
図１および図２において、１２は電気かみそり１０のハウジングである。このハウジング１２の一端側に一対の支持部１２Ａ、１２Ａが形成されるとともに、一端側に開口１２ａが形成されている。そして、開口１２ａには、シェービングヘッド２０が配置されている。
【００１１】
前記支持部１２Ａ、１２Ａの各内側のガイド溝としての凹部１３には側面形状が門形のフローティング軸受け１４が配置され、このフローティング軸受け１４にシェービングヘッド２０が回動軸１６を介して回動可能に軸支されている。なお、回動軸１６は、シェービングヘッド２０の高さの下から１／４の位置にそれぞれ設けられている。フローティング軸受け１４の内側上面には突起１４ａが下方に突出し、この突起１４ａにはスプリング１８が嵌合している。このスプリング１８の下端は凹部１３の内底面１３ａに当接し、フローティング軸受け１４を常に支持部１２Ａの凹部１３の天井面１３ｂに当接付勢した上昇状態に付勢している。この状態を初期位置とする。
【００１２】
また、フローティング軸受け１４の下端には、フローティング軸受け１４の外方向（ハウジング１２の厚み方向）に延出する係合片１４ｃ、１４ｃが形成されている。この係合片１４ｃ、１４ｃは、凹部１３下部の段差部１３ｃ、１３ｃにそれぞれ係合している。そして、シェービングヘッド２０に力が加わった際には、シェービングヘッド２０がフローティング軸受け１４、１４と共に、ハウジング１２方向に沈み込む。
【００１３】
前記シェービングヘッド２０は、頂部に、２つの山形状の凸部が連立するように形成された外刃２２が設けられている。外刃２２の各凸部には内刃ユニット２４、２４が配置されている。内刃ユニット２４、２４は、従来公知の構造である。内刃ユニット２４の中央下端には、ハウジング１２の厚み方向に平行に位置する一対の側板２４ｂ、２４ｂ間を連結する軸体２４ａが設けられている。また、側板２４ｂ、２４ｂの上部には、側板２４ｂ、２４ｂ間を跨ぐように複数の板状の刃体２４ｃ・・・が等間隔に配置されている。
【００１４】
内刃ユニット２４の軸体２４ａは、揺動プレート２６に連結されている。この揺動プレート２６はシェービングヘッド２０のヘッドケース２０Ａの内底面２０ａに配置され、この底面２０ａと仕切り体２８との間の空間内に配置されている。
【００１５】
揺動プレート２６は、図４および図５に示すように、長手方向の両端に固定部２６ａ、２６ａを有し、この固定部２６ａ、２６ａと中央の振動部２６ｂとが平面Ｓ字状の肉薄の変形可能な連結片２６ｃ、２６ｃを介して連結されている。このため、振動部２６ｂは左右（回動軸１６の軸線方向）に往復動可能である。そして、固定部２６ａ、２６ａは、シェービングヘッド２０の底面２０ａと仕切り体２８との間の空間内の、支持部１２Ａ、１２Ａ方向の両端部に固定されている。
【００１６】
揺動プレート２６の揺動部２６ｂの上面には、長手方向中央に２つの支持筒３０、３０が起立して設けられている。各支持筒３０、３０は、前記仕切り体２８中央の開口２８ａを貫通して延出している。また、各支持筒３０、３０と仕切り体２８の開口２８ａの縁とを閉塞するようにゴム製のカバー２９が覆っており、揺動プレート２６が往復動する際に各支持筒３０、３０と開口２８ａとの隙間はカバー２９の変形により閉塞状態を保持している。
【００１７】
各支持筒３０、３０は、揺動部２６ｂの往復動方向に長い平面長楕円状に形成されるとともに、該長楕円の単軸方向にスリット３０ａが形成されている。このスリット３０ａの上端には、内側に対抗して突出する抜け止め凸部３０ｂ、３０ｂが形成されている。そして、支持筒３０のスリット３０ａに、前記内刃ユニット２４中央下端の軸体２４ａを凸部３０ｂ、３０ｂを乗り越えるように嵌合する。なお、軸体２４ａと支持筒３０の内底面との間にスプリング３２が配置されており、このスプリング３２の付勢力により内刃ユニット２４の刃体を外刃２２に当接させている。なお、外刃２２が変形して内刃ユニット２４に力が加わった際には、内刃ユニット２４が沈み込んで吸収することができる。なお、内刃ユニット２４の移動のストロークはＬである。
【００１８】
前記シェービングヘッド２０を構成するヘッドケース２０Ａの底面には突起２１、２１が形成され（図６参照）、この突起２１、２１にスプリング３４、３４の一端がそれぞれ連結され、スプリング３４、３４の他端がハウジング１２内に固定されている。各スプリング３４、３４の引っ張り方向を矢印Ａで示す。各スプリング３４、３４はシェービングヘッド２０を中立に保つため、各スプリング３４、３４の他端はハウジング１２の正面側と背面側のハウジング１２内側面にそれぞれ固定されている。なお、シェービングヘッド２０がハウジング１２方向に沈み込んだ際にも、スプリング３４、３４はコイルスプリングで伸び縮みするため追従して作用する。
【００１９】
ハウジング１２内の中央やや上部に駆動用のモータ３６が設けられている。ここで、モータ３６から内刃ユニット２４へ駆動力を伝達する接続部の構造について説明する。モータ３６の回転軸３６ａに第１偏心カム３８が嵌着されている。この第１偏心カム３８上面のモータ３６の軸線の偏心位置には、偏心軸３８ａが突出している。さらに、偏心軸３８ａには第２偏心カム４０が嵌合しており、この第２偏心カム４０上面のモータ３６の軸線の偏心位置には偏心軸４０ａが突出している。
【００２０】
偏心軸４０ａは、揺動プレート２６（揺動部２６ｂ）の下面の凸部２７に一端が固定された可動片４１の他端の係合孔４１ａに遊嵌している。係合孔４１ａは、図１および図２から明らかなように、ハウジング１２の厚み方向（回動軸１６、１６の軸線と直交する方向）の長孔に形成され、偏心軸４０ａが遊嵌し、揺動プレート２６を図１の左右方向にのみ往復動させることができる。
【００２１】
なお、上述するようにシェービングヘッド２０がハウジング１２方向に沈み込むが、偏心軸４０ａと係合孔４１ａとの係合状態が外れないように偏心軸４０ａの長さが設定され、またシェービングヘッド２０がハウジング１２方向に沈んだ際にも偏心軸４０ａが揺動プレート２６に当たらないように揺動プレート２６の下面に逃げ孔が形成されている。すなわち、シェービングヘッド２０がハウジング１２方向に沈み込んでも、許容して駆動力を伝達することができる。
【００２２】
上記揺動プレート２６に、前記可動片４１の他端の係合孔４１ａに該当する係合孔を直接形成するようにしても良い。
【００２３】
前記シェービングヘッド２０の回動方向のハウジング１２の開口１２ａの縁には、弾性体５６、５６が設けられている。この弾性体５６、５６は、シェービングヘッド２０が傾いた際にも隙間が存在しないようにするものである。
【００２４】
次に、きわ剃りユニットの構造および駆動力の伝達機構について説明する。上記第１偏心カム３８は、揺動片４２中央の透孔４２ａ内に位置しており、揺動片４２上面のピンと第１偏心カム３８の偏心軸３８ａとにクランクアーム４４が連結している。このため、第１偏心カム３８の回転により、クランクアーム４４を介して揺動片４２が図１上左右に揺動する。なお、揺動片４２の両端部は側面Ｕ字状に形成された連結片４３、４３であり、この連結片４３、４３を介してハウジング１２に固定されている。連結片４３、４３の外側の壁面４３ａ、４３ａは肉薄に形成されて変形可能であり、揺動片４２が各連結片４３、４３方向に揺動する。
【００２５】
前記揺動片４２の側面には、上下に開口するガイド溝４５が形成されている。このガイド溝４５は、きわ剃りユニット４６を図２上上方に移動した際に、駆動片４８先端が係合する。
【００２６】
上記きわ剃りユニット４６は、ハウジング１２の側面に沿って昇降自在のきわ剃りカバー５０と、このきわ剃りカバー５０の上部で横長に開口する開口５０ａ内に配置された固定刃５２ａと可動刃５２ｂと、該可動刃５２ｂに上端が係合している前記駆動片４８とから構成されている。なお、駆動片４８は、中途部がきわ剃りカバー５０の内側で軸４９を介して軸支され、軸４９を中心に揺動可能であり、揺動片４２のガイド溝４５に係合した際に軸４９を中心に揺動して駆動片４８の他端が係合している可動刃５２ｂを固定刃５２ａに沿って摺動し、毛を切断することができる。
【００２７】
本実施例の電気かみそりは上述するように構成されている。そして、電気かみそり１０の駆動源をオンし、シェービングヘッド２０の外刃２２を皮膚に当てつつ、動かしてひげを剃る。このとき、シェービングヘッド２０が顔の皮膚の凹凸に沿って回動軸１６、１６を中心に外刃２２の方向が変わるとともに、回動して皮膚にフィットしてひげを剃ることができる。また、シェービングヘッド２０がフローティング軸受け１４、１４に支持されていため、シェービングヘッド２０に所定の力が加わった際に沈み込んで力を吸収することとなる。このため、外刃２２へ加わる負荷を吸収することもできる。
【００２８】
さらに、ひげを剃る際の動きを詳細に検討する。電気かみそり１０全体を皮膚に沿って移動し外刃２２を擦り上げてひげを剃るが、そのときシェービングヘッド２０が剃り方向と逆方向に傾くとともに皮膚の凹凸に沿うように沈み込み、皮膚にフィットしたひげ剃りが可能となる。また、シェービングヘッドの軸支された回動軸の軸線と外刃との各位置との距離が異なり、シェービングヘッドの回動により皮膚に当たる強さが変わり、深剃りも可能となる。なお、スプリング３４、３４によりシェービングヘッド２０が中立を保とうとしているため、その反力により皮膚に外刃２２、２２が強く食い込むように回動軸１６を中心にシェービングヘッド２０が逆方向に回転しようとして深剃りが可能となる。
【００２９】
上記実施例において、フローティング軸受け１４、１４にシェービングヘッド２０が回動軸１６、１６を介して揺動可能に軸支されるとともに、フローティング軸受け１４、１４が沈み込み自在にスプリング１８で支持しているが、図７のように構成しても良い。すなわち、回動軸１６、１６を上下にガイドするガイド溝１２ｂを支持部１２Ａ、１２Ａ内側に形成し、このガイド溝１２ｂに回動軸１６、１６を支持する軸受け片１５、１５を配置するとともに、この軸受け片１５とガイド溝１２ｂの底面との間にスプリング１８を配置している。このように構成しても、シェービングヘッド２０が回動軸１６、１６により回動するとともに、昇降自在である。
【００３０】
以上本発明の好適な実施例を挙げて種々説明したが、本発明は上記実施例に限定されるものでなく、発明の精神を逸脱しない範囲内で多くの改変を施し得ることはもちろんである。
【００３１】
【発明の効果】
本発明に係る電気かみそりは上述するように、シェービングヘッドを一対の支持部間に回動可能に軸支する一方、該回動軸をハウジング方向に沈み込み可能としたので、シェービングヘッドに大きな力が加わった際に沈み込んで力を吸収することとなる。このため、外刃へ加わる負荷を吸収することができる。
【００３２】
また、皮膚に沿って電気かみそり全体を移動するようにして、外刃を擦り上げてひげを剃るとき、シェービングヘッドが剃り方向と逆方向に傾くとともに皮膚の凹凸に沿うように沈み込み、皮膚にフィットしたひげ剃りができる。また、シェービングヘッドの軸支された回動軸の軸線と外刃との距離が外刃の各部位で異なるため、シェービングヘッドの回動により皮膚に当たる強さが変わり、深剃りも可能となる。
【００３３】
さらに、シェービングヘッドの外刃が皮膚にフィットしてひげ剃りができるので、傾きに沿って撫でるようにしてひげを剃ることとなる。一方、回動するシェービングヘッドはスプリングにより中立を保とうとするため、その反力により皮膚に外刃が強く食い込むこととなる等の著効を奏する。
【図面の簡単な説明】
【図１】本発明に係る電気かみそりの内部機構を示す部分断面正面図である。
【図２】本発明に係る電気かみそりの内部機構を示す部分断面側面図である。
【図３】フローティング軸受けを示す部分断面説明図である。
【図４】振動プレートの正面図である。
【図５】振動プレートの平面図である。
【図６】ヘッドケースの底面図である。
【図７】シェービングヘッドのフローティング構造を示す部分断面説明図である。
【符号の説明】
１０  電気かみそり
１２  ハウジング
１４  フローティング軸受け
１６  回動軸
２０  シェービングヘッド
２２  外刃
２４  内刃ユニット
２６  揺動プレート
３４  コイルスプリング
３６  モータ
３８  第１偏心カム
４０  第２偏心カム
４６  きわ剃りユニット
【図１】
0003699736.tif 000002
【図２】
0003699736.tif 000003
【図３】
0003699736.tif 000004
【図４】
0003699736.tif 000005
【図５】
0003699736.tif 000006
【図６】
0003699736.tif 000007
【図７】
0003699736.tif 000008